(57)【要約】【課題】一台の認証操作により、カスケード接続された複数のプロジェクターを使用可能にする。【解決手段】カスケード接続された先頭のプロジェクターとして動作するときは認証手段による認証（ステップＳ１０４：Ｙ）を行い、２番目以降のプロジェクターとして動作するときは、受信手段より使用許可情報を受信した場合（ステップＳ１１３：Ｙ）にプロジェクター１を使用可能にする。【選択図】図３
2015108841.tif 000002
【特許請求の範囲】
【請求項１】
光源から射出された光を画像情報に応じて変調して投写するプロジェクターであって、
複数の他のプロジェクターとカスケードに接続可能であり、カスケードに接続された他のプロジェクターと通信するための送信手段、及び受信手段と、
当該プロジェクターがカスケード接続の先頭として動作する第１モードと、カスケード接続の２番目以降として動作する第２モードのいずれかを設定する、モード設定手段と、
入力操作を受け付ける入力操作手段と、
当該プロジェクターを使用可能にするための認証を行う認証手段と、
当該プロジェクターの動作を制御する制御手段と、
を備え、
前記制御手段は、前記認証手段による認証、または、前記受信手段による当該プロジェクターの使用許可情報の受信により、当該プロジェクターを使用可能にすることを特徴とするプロジェクター。
【請求項２】
請求項１に記載のプロジェクターであって、
前記制御手段は、前記モード設定手段に前記第１モードが設定されている場合に、前記認証手段による認証を行い、
前記制御手段は、前記モード設定手段に前記第２モードが設定されている場合に、前記受信手段より、前記使用許可情報を受け付け、
前記制御手段は、当該プロジェクターが使用可能になった場合に、前記送信手段より、前記使用許可情報を、カスケードに接続された他のプロジェクターへ送信することを特徴とする、プロジェクター。
【請求項３】
請求項１または２に記載のプロジェクターであって、
当該プロジェクターを識別する第１識別情報、及び前記使用許可情報を送信する相手先のプロジェクターを識別する第２識別情報を記憶する記憶手段をさらに備え、
前記制御手段は、当該プロジェクターが使用可能になった場合に、前記送信手段より、前記使用許可情報、及び前記第２識別情報を、カスケードに接続された他のプロジェクターへ送信し、
前記制御手段は、前記モード設定手段に前記第２モードが設定されている場合に、前記受信手段より、前記使用許可情報、及び前記第２識別情報を受け付け、前記第２識別情報と前記第１識別情報が一致した場合に、当該プロジェクターを使用可能にすることを特徴とする、プロジェクター。
【請求項４】
請求項１から３のいずれか一項に記載のプロジェクターであって、
前記制御手段は、前記モード設定手段に前記第２モードが設定されている場合に、所定時間内に前記受信手段より、前記使用許可情報を受信しないとき、前記認証手段による認証を行うことを特徴とする、プロジェクター。
【請求項５】
光源から射出された光を画像情報に応じて変調して投写するプロジェクターの制御方法であって、
複数の他のプロジェクターとカスケードに接続可能であり、カスケードに接続された他のプロジェクターと通信するための送信手段、及び受信手段と、
当該プロジェクターがカスケード接続の先頭として動作する第１モードと、カスケード接続の２番目以降として動作する第２モードのいずれかを設定する、モード設定手段と、
入力操作を受け付ける入力操作ステップと、
当該プロジェクターを使用可能にするための認証を行う認証ステップと、
前記認証ステップによる認証、または、前記受信手段より、当該プロジェクターの使用許可情報の受信により、当該プロジェクターを使用可能にする制御ステップと、を有することを特徴とする、プロジェクターの制御方法。
【発明の詳細な説明】
【技術分野】
【０００１】
本発明は、プロジェクター、及びプロジェクターの制御方法に関する。
【背景技術】
【０００２】
従来、プロジェクターの不正使用を防止する方法として、リモートコントローラー（リモコン）から暗証番号を入力する方法が知られている。しかし、複数のプロジェクターを同じ場所で使用するような設置環境においては、起動するたびに全てのプロジェクターに暗証番号を入力するのは面倒であった。
【０００３】
特許文献１には、ＵＳＢキーの脱着やＲＦタグをかざすことで認証するプロジェクターが開示されている。
このようなプロジェクターによれば、暗証番号を入力することなく、プロジェクターの不正使用を防止することができる。
【先行技術文献】
【特許文献】
【０００４】
【特許文献１】特開２００５−３５１９９６号公報
【発明の概要】
【発明が解決しようとする課題】
【０００５】
しかし、特許文献１のプロジェクターでは、暗証番号の入力は必要ないものの、使用時にユーザーが全てのプロジェクターのそばで認証のための操作をする必要があり、使用前の手間は削減されなかった。また、プロジェクターが天吊設置されている場合には、ＵＳＢキーの脱着やＲＦタグをかざすという操作ができないという問題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光を画像情報に応じて変調して投写するプロジェクターであって、複数の他のプロジェクターとカスケードに接続可能であり、カスケードに接続された他のプロジェクターと通信するための送信手段、及び受信手段と、当該プロジェクターがカスケード接続の先頭として動作する第１モードと、カスケード接続の２番目以降として動作する第２モードのいずれかを設定する、モード設定手段と、入力操作を受け付ける入力操作手段と、当該プロジェクターを使用可能にするための認証を行う認証手段と、当該プロジェクターの動作を制御する制御手段と、を備え、前記制御手段は、前記認証手段による認証の成功、または、前記受信手段による当該プロジェクターの使用許可情報の受信により、当該プロジェクターを使用可能にすることを特徴とする。
【０００８】
本適用例によれば、認証手段による認証の成功、または、使用許可情報の受信により、プロジェクターを使用可能にする。これにより、カスケード接続された複数のプロジェクター全てに認証操作を行う手間を省くことが可能となる。
【０００９】
［適用例２］上記適用例に記載のプロジェクターにおいて、前記制御手段は、前記モード設定手段に前記第１モードが設定されている場合に、前記認証手段による認証を行い、  前記制御手段は、前記モード設定手段に前記第２モードが設定されている場合に、前記受信手段より、前記使用許可情報を受け付け、前記制御手段は、当該プロジェクターが使用可能になった場合に、前記送信手段より、前記使用許可情報を、カスケードに接続された他のプロジェクターへ送信することを特徴とする。
【００１０】
本適用例によれば、カスケード接続された先頭のプロジェクターが認証されることで、２番目以降のプロジェクターに使用許可情報が順次送られ、使用可能にする。これにより、カスケード接続された先頭の１台のみを認証することで全てのプロジェクターを使用可能にすることができる。
【００１１】
［適用例３］上記適用例に記載のプロジェクターにおいて、当該プロジェクターを識別する第１識別情報、及び前記使用許可情報を送信する相手先のプロジェクターを識別する第２識別情報を記憶する記憶手段をさらに備え、前記制御手段は、当該プロジェクターが使用可能になった場合に、前記送信手段より、前記使用許可情報、及び前記第２識別情報を、カスケードに接続された他のプロジェクターへ送信し、前記制御手段は、前記モード設定手段に前記第２モードが設定されている場合に、前記受信手段より、前記使用許可情報、及び前記第２識別情報を受け付け、前記第２識別情報と前記第１識別情報が一致した場合に、当該プロジェクターを使用可能にすることを特徴とする。
【００１２】
本適用例によれば、プロジェクター自身を識別する第１識別情報と、カスケード接続された次のプロジェクターを識別する第２識別情報を持ち、使用許可情報とともに第２識別情報を次のプロジェクターへ送信し、次のプロジェクターは使用許可情報とともに受信した第２識別情報と、自身を識別する第１識別情報とが一致した場合に使用可能とする。これにより、カスケード接続の中に、不正に接続されたプロジェクターがあった場合に、使用させないようにすることが可能となる。
【００１３】
［適用例４］上記適用例に記載のプロジェクターにおいて、前記制御手段は、前記モード設定手段に前記第２モードが設定されている場合に、所定時間内に前記受信手段より、前記使用許可情報を受信しないとき、前記認証手段による認証を行うことを特徴とする。
【００１４】
本適用例によれば、カスケード接続の２番目以降のプロジェクターが、所定時間以内に使用許可情報を受信しない場合に、カスケード接続の先頭のプロジェクターと同様に認証を行う。これにより、何らかの要因で接続されたプロジェクターに故障が生じ、使用許可情報を送信することができなくなった場合でも、認証を行うことにより、使用可能にすることができる。
【００１５】
［適用例５］本適用例に係るプロジェクターの制御方法は、光源から射出された光を画像情報に応じて変調して投写するプロジェクターの制御方法であって、複数の他のプロジェクターとカスケードに接続可能であり、カスケードに接続された他のプロジェクターと通信するための送信手段、及び受信手段と、当該プロジェクターがカスケード接続の先頭として動作する第１モードと、カスケード接続の２番目以降として動作する第２モードのいずれかを設定する、モード設定手段と、入力操作を受け付ける入力操作ステップと、当該プロジェクターを使用可能にするための認証を行う認証ステップと、前記認証ステップによる認証の成功、または、前記受信手段から当該プロジェクターの使用許可情報の受信により、当該プロジェクターを使用可能にする制御ステップと、を有することを特徴とする。
【００１６】
本適用例によれば、認証手段による認証が成功するか、使用許可情報を受信するかのいずれかにより、プロジェクターを使用可能にする。これにより、カスケード接続された複数のプロジェクター全てに認証操作を行う手間を削減することが可能となる。
【図面の簡単な説明】
【００１７】
【図１】プロジェクターの回路構成を示すブロック図。
【図２】プロジェクターのカスケード接続を示す図であり、（ａ）はプロジェクターが有線接続された状態、（ｂ）はプロジェクターＰＪ２がプロジェクターＰＪ１から使用許可情報を受け付けた状態、（ｃ）はプロジェクターＰＪ２からプロジェクターＰＪ３へ使用許可情報が送信された状態、（ｄ）は全てのプロジェクターが使用可能になった状態を示す図。
【図３】プロジェクターの動作を示すフローチャート。
【図４】警告メッセージの一例を示す図であり、（ａ）は認証に失敗したとき、（ｂ）は所定時間内に使用許可情報を受信しなかったとき、（ｃ）は受信した識別情報が一致しなかったときの警告メッセージの一例を示す図。
【発明を実施するための形態】
【００１８】
以下、図面を参照して本発明の一実施形態について説明する。なお、以下の実施形態は特許請求の範囲にかかる発明を限定するものではなく、また、実施形態における特徴の組み合わせの全てが発明の解決手段に必須であるとは限らない。
【００１９】
（第１実施形態）
図１は本実施形態のプロジェクター１の回路構成を示すブロック図である。
図１に示すように、プロジェクター１は、画像投写手段１０、ＯＳＤ処理手段１６、画像信号処理手段１７、画像信号入力手段１８、制御手段２０、記憶手段２１、入力操作手段２３、光源制御手段２５、電源端子３０、電源部３１、受信手段４１、送信手段４２等で構成されており、これらは図示しないプロジェクター１の筐体の内部に収容されている。
【００２０】
画像投写手段１０は、光源１１、光変調装置としての３つの液晶ライトバルブ１２Ｒ、１２Ｇ、１２Ｂ、投写光学系としての投写レンズ１３、液晶駆動手段１４等を含んでいる。画像投写手段１０は、光源１１から射出された光を、液晶ライトバルブ１２Ｒ、１２Ｇ、１２Ｂで変調して画像光を形成し、この画像光を投写レンズ１３から投写することによってスクリーンＳＣ等に画像を表示する。
【００２１】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００２２】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。液晶駆動手段１４が、入力される画像情報に応じた駆動電圧を各画素に印加すると、各画素は、画像情報に応じた光透過率に設定される。
【００２３】
このため、光源１１から射出された光は、この液晶ライトバルブ１２Ｒ、１２Ｇ、１２Ｂを透過することによって変調され、画像情報に応じた画像光が色光毎に形成される。形成された各色の画像光は、図示しない色合成光学系によって画素毎に合成されてカラーの画像光となった後、投写レンズ１３によってスクリーンＳＣ等に拡大投写される。
【００２４】
上述した実施形態では、光源１１として光源ランプ１１ａを用いて投写するプロジェクター１を例示したが、本発明は光源としてＬＥＤ（Light Emitting Diode）光源やレーザー光源などを用いて投写するプロジェクターにも適用することができる。なお、上記の実施形態では、画像投写手段１０は、光源１１、光変調装置としての３つの液晶ライトバルブ１２Ｒ、１２Ｇ、１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２５】
制御手段２０は、ＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
制御手段２０は、プロジェクター１の認証を行う認証手段２０１、プロジェクター１がカスケード接続の先頭として動作する第１モードと、カスケード接続の２番目以降として動作する第２モードのいずれかを設定するモード設定手段２０２、及び時間を計測するタイマー２０ａを含む。
【００２６】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。記憶手段２１には設定データとして、プロジェクター１を識別する第１識別情報２１ａと、プロジェクター１とカスケード接続され、送信手段４２によって情報を送信する送信先のプロジェクターを識別する第２識別情報２１ｂが保存される。
プロジェクター１は、後述する入力操作手段２３によって入力された認証情報により認証が成功した場合、第２識別情報２１ｂに登録されたプロジェクターがあれば、使用許可情報Ｐ１を第２識別情報２１ｂとともに、送信手段４２により送信する。
【００２７】
入力操作手段２３は、プロジェクター１が、ユーザーからの入力操作を受け付けるものであり、図示は省略するが、ユーザーがプロジェクター１に対して各種指示を行うための複数の操作キーを備えており、プロジェクター１の筐体外面に備えられる本体キーまたは、遠隔操作で入力操作を行うリモートコントローラー（リモコン）で構成させる。
入力操作手段２３が備える操作キーとしては、電源のオン・オフを交互に切り替えるための電源キーや、画像信号入力手段１８に入力される複数の画像入力端子を切り替えるための入力切替キー、各種設定を行うための設定メニューを重畳表示させるメニューキー、メニューからユーザーが設定項目を選択するカーソルキー、決定キー、エスケープキー、また、プロジェクター１を使用可能にするための認証情報を入力する認証操作キー（例えば数字キー）等がある。
【００２８】
ユーザーが入力操作手段２３の各種操作キーを操作すると、入力操作手段２３は、ユーザーの操作内容に応じた操作信号を制御手段２０に出力する。なお、入力操作手段２３は、リモコン信号受信手段（図示せず）と遠隔操作が可能なリモコン（図示せず）を有した構成としてもよい。この場合、リモコンは、ユーザーの操作内容に応じた赤外線等の操作信号を発し、リモコン信号受信手段がこれを受信して制御情報として制御手段２０に伝達する。
【００２９】
画像信号入力手段１８は、複数の画像入力端子を備えており、各画像入力端子より、ビデオ再生装置やパーソナルコンピューター等、外部の画像出力装置から、図示しないケーブルを介して画像情報が入力される。
【００３０】
画像信号処理手段１７は、画像信号入力手段１８から入力される画像情報を、液晶ライトバルブ１２Ｒ、１２Ｇ、１２Ｂの各画素の階調を表す画像情報に変換する。ここで、変換された画像情報は、Ｒ、Ｇ、Ｂの色光別になっており、各液晶ライトバルブ１２Ｒ、１２Ｇ、１２Ｂのすべての画素に対応する複数の画素値によって構成されている。画素値とは、対応する画素の光透過率を定めるものであり、この画素値によって、各画素を透過し射出する光の強弱（階調）が規定される。
【００３１】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。
なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３２】
液晶駆動手段１４は、ＯＳＤ処理手段１６から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００３３】
光源制御手段２５は、制御手段２０の指示に基づいて、光源１１に対する電力の供給と停止とを制御し、光源１１の点灯及び消灯を切り替える。
【００３４】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００３５】
受信手段４１はカスケード接続された他のプロジェクターと通信し、使用許可情報Ｐ１、及び第２識別情報２１ｂを受信する。
【００３６】
送信手段４２はカスケード接続された他のプロジェクターと通信し、使用許可情報Ｐ１、及び第２識別情報２１ｂを送信する。
【００３７】
次に、本実施形態のプロジェクターのカスケード接続の動作について図２を用いて説明する。
図２（ａ）はプロジェクターＰＪ１、ＰＪ２、ＰＪ３、が有線接続された状態を示す。プロジェクターＰＪ１の送信手段４２ａがプロジェクターＰＪ２の受信手段４１ｂに、プロジェクターＰＪ２の送信手段４２ｂがプロジェクターＰＪ３の受信手段４１ｃに、それぞれ接続された、カスケード接続状態になっている。カスケード接続先頭のプロジェクターＰＪ１は第１モード、２番目以降のプロジェクターＰＪ２，ＰＪ３は第２モードに設定されている。この時点では全てのプロジェクターＰＪ１、ＰＪ２、ＰＪ３が使用待機状態になっている。
図２（ａ）のように、カスケード接続先頭のプロジェクターＰＪ１は入力操作手段２３ａからの暗証番号入力により、認証を行う。認証が成功した場合、図２（ｂ）のようにプロジェクターＰＪ１が使用可能になり、プロジェクターＰＪ１からプロジェクターＰＪ２へ使用許可情報Ｐ１が送信される。このとき、第２識別情報２１ｂも送信手段４２ａにより送信されるが、ここでの説明においては省略する。
図２（ｂ）では、プロジェクターＰＪ２がプロジェクターＰＪ１から使用許可情報Ｐ１を受け付けると、図２（ｃ）のように、プロジェクターＰＪ２が使用可能になり、プロジェクターＰＪ２からプロジェクターＰＪ３へ使用許可情報Ｐ１が送信される。
図２（ｃ）では、プロジェクターＰＪ３がプロジェクターＰＪ２から使用許可情報Ｐ１を受け付けると、図２（ｄ）のように、プロジェクターＰＪ３が使用可能になり、全てのプロジェクターが使用可能になる。
【００３８】
次に、本実施形態のプロジェクターの動作を図３のフローチャートを用いて説明する。
図３に示すように、プロジェクター１が入力操作手段２３の電源オン操作により電源オンすると（ステップＳ１０１）、制御手段２０はモード設定手段２０２に第１モードが設定されているか（プロジェクター１がカスケード接続の先頭であるか）否かを調べる（ステップＳ１０２）。
モード設定手段２０２に第１モードが設定されている場合（ステップＳ１０２：Ｙ）、ステップＳ１０３に遷移する。モード設定手段２０２に第１モードが設定されていない場合、即ち第２モードが設定されている場合（ステップＳ１０２：Ｎ）、ステップＳ１１０に遷移する。
【００３９】
ステップＳ１０３において認証手段２０１は、入力操作手段２３からの暗証番号入力などによる認証を行い、ステップＳ１０４に遷移する。
【００４０】
ステップＳ１０４において制御手段２０は、ステップＳ１０３における認証が成功したか否かを調べる。認証が成功した場合（ステップＳ１０４：Ｙ）、ステップＳ１０５に遷移する。認証が失敗した場合（ステップＳ１０４：Ｎ）、ステップＳ１１６に遷移する。
【００４１】
ステップＳ１０５において制御手段２０は、第２識別情報２１ｂに有効な情報が保存されているか否かを調べる。第２識別情報２１ｂに有効な情報が保存されている場合（ステップＳ１０５：Ｙ）、ステップＳ１０６に遷移する。第２識別情報２１ｂに有効な情報が保存されていない場合（ステップＳ１０５：Ｎ）、ステップＳ１０７に遷移する。
【００４２】
ステップＳ１０６において制御手段２０は、使用許可情報Ｐ１、及び第２識別情報２１ｂを送信手段４２により送信し、ステップＳ１０７に遷移する。
【００４３】
ステップＳ１０７において制御手段２０は、画像信号入力手段１８から入力される画像信号を画像投写手段１０により投写し、本フローを終了する。
【００４４】
ステップＳ１１０において制御手段２０は、タイマー２０ａによる計時を開始し、ステップＳ１１１に遷移する。
【００４５】
ステップＳ１１１において制御手段２０は、タイマー２０ａが所定の時間Ｔ１（例えば２０秒）を経過したか否かを調べる。タイマー２０ａが時間Ｔ１を経過した場合（ステップＳ１１１：Ｙ）、警告メッセージＭ２を所定時間投写し（ステップＳ１１２）、ステップＳ１０３に遷移する。このときの警告メッセージＭ２の一例を図４（ｂ）に示す。
一方、タイマー２０ａが時間Ｔ１を経過していない場合（ステップＳ１１１：Ｎ）、ステップＳ１１３に遷移する。
【００４６】
ステップＳ１１３において制御手段２０は、受信手段４１より、使用許可情報Ｐ１、及び第２識別情報２１ｂを受信したか否かを調べる。使用許可情報Ｐ１、及び第２識別情報２１ｂを受信した場合（ステップＳ１１３：Ｙ）、ステップＳ１１４に遷移する。使用許可情報Ｐ１、及び第２識別情報２１ｂを受信していない場合（ステップＳ１１３：Ｎ）、ステップＳ１１１に遷移する。
【００４７】
ステップＳ１１４において制御手段２０は、ステップＳ１１３において受信した第２識別情報２１ｂと、第１識別情報２１ａとが一致するか否かを調べる。一致した場合（ステップＳ１１４：Ｙ）、ステップＳ１０５に遷移する。一致しない場合（ステップＳ１１４：Ｎ）、ステップＳ１１５に遷移する。
【００４８】
ステップＳ１１５において制御手段２０は、警告メッセージＭ３を画像投写手段１０により所定時間投写し、ステップＳ１１７に遷移する。このときの警告メッセージＭ３の一例を図４（ｃ）に示す。
【００４９】
ステップＳ１１６において制御手段２０は、警告メッセージＭ１を画像投写手段１０により所定時間投写し、ステップＳ１１７に遷移する。このときの警告メッセージＭ１の一例を図４（ａ）に示す。
【００５０】
ステップＳ１１７において制御手段２０は、プロジェクター１の電源をオフしてスタンバイ状態に移行させ、本動作フローを終了する。
【００５１】
以上、説明したように、本実施形態のプロジェクター１によれば、認証手段２０１による認証、または、使用許可情報Ｐ１の受信のいずれかにより、プロジェクター１を使用可能にする。これにより、カスケード接続された複数のプロジェクター全てに認証操作を行う手間を省くことができる。
【００５２】
また、カスケード接続された先頭のプロジェクターが認証され、使用可能となることで、２番目以降のプロジェクターに使用許可情報Ｐ１が順次送られ、使用可能にする。これにより、カスケード接続された先頭のプロジェクター１台のみを認証することで全てのプロジェクターを使用可能にすることが可能となる。
【００５３】
また、プロジェクターＰＪ１を識別する第１識別情報２１ａと、カスケード接続された次のプロジェクターＰＪ２を識別する第２識別情報２１ｂを持ち、使用許可情報Ｐ１とともに第２識別情報２１ｂを次のプロジェクターＰＪ２へ送信する。
次のプロジェクターＰＪ２は使用許可情報Ｐ１とともに受信した第２識別情報２１ｂと、プロジェクターＰＪ２を識別する第１識別情報２１ａとが一致した場合にプロジェクターＰＪ２を使用可能とする。
これにより、カスケード接続の中に、不正に接続されたプロジェクター１があった場合に、使用させないようにすることが可能となる。
【００５４】
また、カスケード接続の２番目以降のプロジェクターＰＪ２として動作する場合、所定時間以内に使用許可情報Ｐ１を受信しない場合に、カスケード接続の先頭のプロジェクターＰＪ１と同様に認証手段２０１により認証を行う。これにより、何らかの要因で接続されたプロジェクターＰＪ１が使用許可情報Ｐ１を送信することができなくなった場合、次にカスケード接続されたプロジェクターＰＪ２により認証を行い、使用許可情報Ｐ１を送信することができる。したがって、認証したプロジェクターＰＪ２、および以降接続されたプロジェクター（ＰＪ３）を使用可能にできる。
【００５５】
また、上記実施形態は、以下のように変更してもよい。
（変形例１）
上記実施形態のプロジェクター１ではモード設定手段２０２に第１モードが設定されている場合、入力操作手段２３からの入力操作により、認証手段２０１で認証を行うが、外部記憶媒体から認証情報を取得し、認証するようにしてもよい、これにより、１台のプロジェクターに、認証情報が格納された記憶媒体を接続することにより、カスケード接続された全てのプロジェクターを使用可能にすることが可能となる。
【符号の説明】
【００５６】
１…プロジェクター、１０…画像投写手段、１１…光源、１２Ｒ、１２Ｇ、１２Ｂ…液晶ライトバルブ、１３…投写レンズ、１４…液晶駆動手段、１６…ＯＳＤ処理手段、１７…画像信号処理手段、１８…画像信号入力手段、２０…制御手段、２０１…認証手段、２０２…モード設定手段、２０ａ…タイマー、２１…記憶手段、２１ａ…第１識別情報、２１ｂ…第２識別情報、２３…入力操作手段、２５…光源制御手段、３０…電源端子、３１…電源部、４１…受信手段、４１…送信手段、Ｐ１…使用許可情報。
【図１】
2015108841.tif 000003
【図２】
2015108841.tif 000004
【図３】
2015108841.tif 000005
【図４】
2015108841.tif 000006
【手続補正書】
【提出日】平成27年2月12日(2015.2.12)
【手続補正１】
【補正対象書類名】特許請求の範囲
【補正対象項目名】全文
【補正方法】変更
【補正の内容】
【特許請求の範囲】
【請求項１】
光源から射出された光を画像情報に応じて変調して投写するプロジェクターであって、
受信手段と、
入力操作を受け付ける入力操作手段と、
当該プロジェクターを使用可能にするための認証を行う認証手段と、
当該プロジェクターの動作を制御する制御手段と、
を備え、
前記制御手段は、
前記入力操作手段によって認証情報が入力された場合には、前記認証情報による認証が成功すると、当該プロジェクターを使用可能にし、
前記受信手段により当該プロジェクターの使用許可情報を受信した場合には、当該プロジェクターを使用可能にすることを特徴とするプロジェクター。
【請求項２】
請求項１に記載のプロジェクターであって、
送信手段を有し、
前記制御手段は、当該プロジェクターが使用可能になった場合に、前記送信手段より、前記使用許可情報を、前記他のプロジェクターへ送信することを特徴とする、プロジェクター。
【請求項３】
請求項２に記載のプロジェクターであって、
当該プロジェクターを識別する第１識別情報、及び前記他のプロジェクターを識別する第２識別情報を記憶する記憶手段をさらに備え、
前記制御手段は、当該プロジェクターが使用可能になった場合に、前記送信手段より、前記使用許可情報、及び前記第２識別情報を、前記他のプロジェクターへ送信し、
前記制御手段は、前記受信手段より、前記使用許可情報、及び前記第２識別情報を受け付け、前記第２識別情報と前記第１識別情報が一致した場合に、当該プロジェクターを使用可能にすることを特徴とする、プロジェクター。
【請求項４】
光源から射出された光を画像情報に応じて変調して投写するプロジェクターの制御方法であって、
当該プロジェクターは、
受信手段と、
入力操作を受け付ける入力操作手段と、
当該プロジェクターの動作を制御する制御手段と、
を有し、
前記制御方法は、
前記制御手段により当該プロジェクターを使用可能にする制御ステップを有し、
前記入力操作手段によって認証情報が入力された場合には、前記制御ステップにおいて、前記認証情報による認証が成功すると、当該プロジェクターを使用可能にし、
前記受信手段が当該プロジェクターの使用許可情報を受信した場合には、前記制御ステップにおいて、当該プロジェクターを使用可能にすること
を有することを特徴とする、プロジェクターの制御方法。
【手続補正２】
【補正対象書類名】明細書
【補正対象項目名】０００７
【補正方法】変更
【補正の内容】
【０００７】
［適用例１］本適用例に係るプロジェクターは、光源から射出された光を画像情報に応じて変調して投写するプロジェクターであって、.受信手段と、入力操作を受け付ける入力操作手段と、当該プロジェクターを使用可能にするための認証を行う認証手段と、当該プロジェクターの動作を制御する制御手段と、を備え、前記制御手段は、前記入力操作手段によって認証情報が入力された場合には、前記認証情報による認証が成功すると、当該プロジェクターを使用可能にし、前記受信手段により当該プロジェクターの使用許可情報を受信した場合には、当該プロジェクターを使用可能にすることを特徴とする。
【手続補正３】
【補正対象書類名】明細書
【補正対象項目名】０００９
【補正方法】変更
【補正の内容】
【０００９】
［適用例２］上記適用例に記載のプロジェクターにおいて、送信手段を有し、前記制御手段は、当該プロジェクターが使用可能になった場合に、前記送信手段より、前記使用許可情報を、前記他のプロジェクターへ送信することを特徴とする。
【手続補正４】
【補正対象書類名】明細書
【補正対象項目名】００１１
【補正方法】変更
【補正の内容】
【００１１】
［適用例３］上記適用例に記載のプロジェクターにおいて、当該プロジェクターを識別する第１識別情報、及び前記他のプロジェクターを識別する第２識別情報を記憶する記憶手段をさらに備え、前記制御手段は、当該プロジェクターが使用可能になった場合に、前記送信手段より、前記使用許可情報、及び前記第２識別情報を、前記他のプロジェクターへ送信し、前記制御手段は、前記受信手段より、前記使用許可情報、及び前記第２識別情報を受け付け、前記第２識別情報と前記第１識別情報が一致した場合に、当該プロジェクターを使用可能にすることを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
［適用例５］本適用例に係るプロジェクターの制御方法は、光源から射出された光を画像情報に応じて変調して投写するプロジェクターの制御方法であって、当該プロジェクターは、受信手段と、入力操作を受け付ける入力操作手段と、当該プロジェクターの動作を制御する制御手段と、を有し、前記制御方法は、前記制御手段により当該プロジェクターを使用可能にする制御ステップを有し、前記入力操作手段によって認証情報が入力された場合には、前記制御ステップにおいて、前記認証情報による認証が成功すると、当該プロジェクターを使用可能にし、前記受信手段が当該プロジェクターの使用許可情報を受信した場合には、前記制御ステップにおいて、当該プロジェクターを使用可能にすることを特徴とする。